(57)【要約】【解決課題】  読み取った原稿の画像データに対応して関連付けられた印字データを該原稿に印字できる画像読取兼記録装置及びこの画像読取兼記録装置に接続可能な外部装置に適用されるアプリケーションプログラムを得る。【解決手段】  Ｕターン搬送路３６に読取装置７６を設け、Ｕターン搬送路３６で搬送される原稿に記録された画像データを読取り可能としている。また、画像読取兼記録装置１０にＰＣ７８を接続し、原稿の画像データをＰＣ７８のハードディスク８０へ送信して、該画像データに対応した印字データを該原稿に印字できるようにしている。これにより、原稿に記録された画像データＡ1、Ｂ1（いわゆるプレプリント）に対応して関連付けられた印字データＡ2、Ｂ2（画像形成部で記録するデータ）を該原稿に記録させることができる。【選択図】  図９
2005178261.tif 000002
【特許請求の範囲】
【請求項１】
原稿の少なくとも片面を読取り可能な読取手段と、
画像を記録する記録手段と、
前記読取手段で読取られた原稿の画像データに対応して関連付けられた印字データを、前記記録手段で前記原稿に記録させる制御手段と、
を有することを特徴とする画像読取兼記録装置。
【請求項２】
前記読取手段が、原稿に記入されたバーコードを読取るバーコードリーダであることを特徴とする請求項１に記載の画像読取兼記録装置。
【請求項３】
前記制御手段が、前記読取手段で読取られた画像データに対応して、記憶された複数の印字データから所定の印字データを選択して該印字データを原稿に記録させることを特徴とする請求項１又は２に記載の画像読取兼記録装置。
【請求項４】
前記制御手段が、前記画像データに対応して、前記印字データのレイアウトを変更することを特徴とする請求項１に記載の画像読取兼記録装置。
【請求項５】
画像を形成する記録手段が設けられた本体部の上部に配置され、記録シートが露出した状態で載置される手差しトレイと、
前記手差しトレイに載置された記録シートを、前記記録手段の上方でＵターンさせて、前記記録手段にて画像を形成して、排出トレイへ排出させるＵターン搬送路と、
前記Ｕターン搬送路に着脱自在に配設され、原稿の少なくとも片面を読取り可能な読取手段と、
前記読取手段で読取られた記録シートの画像データに対応して関連付けられた印字データを、前記記録手段で前記記録シートに記録させる制御手段と、
を有することを特徴とする画像読取兼記録装置。
【請求項６】
前記記録手段が、トナーを担持する像担持体と、前記像担持体上に形成されたトナー像を記録シートに転写する転写手段と、前記記録シートに転写されたトナー像を定着する定着手段と、で少なくとも構成され、
前記転写手段の下に前記像担持体が配置されたことを特徴とする請求項５に記載の画像読取兼記録装置。
【請求項７】
前記本体部の下部に配置され、記録シートを収納可能なシートカセットと、
前記シートカセットから略垂直方向へ立ち上がり記録シートを前記転写手段へ案内するシート搬送路と、
を備えたことを特徴とする請求項５又は６に記載の画像読取兼記録装置。
【請求項８】
前記排出トレイへ排出された記録シートを排出方向と逆方向に反転搬送するシート反転手段と、
前記本体部の下部に配置され、反転搬送された記録シートを前記シート搬送路へ戻す戻し搬送路と、
を有することを特徴とする請求項７に記載の画像読取兼記録装置。
【請求項９】
前記戻し搬送路で搬送され、原稿の記録面の裏面側に前記印字データが記録されることを特徴とする請求項８に記載の画像読取兼記録装置。
【請求項１０】
前記制御手段が、前記画像データを加工し、加工された画像データを原稿の記録面の裏面側に記録させることを特徴とする請求項９に記載の画像読取兼記録装置。
【請求項１１】
請求項１〜１０の何れかに記載の画像読取兼記録装置により送出された画像データを受信する受信ステップと、
前記画像データに対応して、前記記録データを前記画像読取兼記録装置へ送出する送出ステップと、
をコンピュータに実行させることを特徴とするアプリケーションプログラム。
【発明の詳細な説明】
【技術分野】
【０００１】
この発明は、画像読取装置及び画像形成装置を備えた画像読取兼記録装置及びこの画像読取兼記録装置に接続可能な外部装置に適用されるアプリケーションプログラムに関する。
【背景技術】
【０００２】
複写機、プリンター、ファクシミリ装置等、画像読取装置及び画像形成装置を備えた画像読取兼記録装置では、原稿に光を照射して得られた画像を電気信号に変換し、且つデジタル化した後、種々の画像処理を施した画像データに応じて変調した光ビームによって記録シートが複写される。
【０００３】
例えば、特許文献１では、図１１に示すように、給紙カセット１００内の記録シートに画像を形成する記録装置１０２へ記録シートを搬送する搬送路１０４の近傍に、原稿読取用のスキャナー装置１０６が配設されている。このスキャナー装置１０６には読取部１０８が備えられており、読取部１０８の上部には、原稿を搬送可能な原稿搬送路１１０が配設され、原稿搬送路１１０で搬送される原稿の画像データが読取可能となっている。
【０００４】
また、原稿搬送路１１０はプリンター１１２の正面側に設けられた原稿入口部１１４に繋がっており、原稿入口部１１４から給紙された原稿は、原稿搬送路１１０を経て、読取部１０８を通過した後、原稿排紙路１１６によって、プリンター１１２の上面に排出可能となっている。ここで、原稿排紙路１１６の上流側にはレバー１１８が揺動可能に設けられており、原稿搬送路１１０で搬送される原稿を原稿搬送路１１０或いは搬送路１０４へ案内するようにしている。
【０００５】
これにより、原稿搬送路１１０では原稿だけでなく、所定の印字データを記録する記録シートも搬送することができ、この場合、スキャナー装置１０６は停止し、該記録シートは搬送路１０４へ案内され、例えば、外部装置から入力された印字データが記録されることとなる。
【０００６】
また、特許文献２では、図１２に示すように、操作パネルからの指示を契機として、制御部１２０が原稿用スキャナ１２２を駆動させて原稿の画像データを読取らせ、また、用紙カセット１２４、１２６から給紙され既に記録された記録シートの画像データを記録シート用スキャナ１２８で読取らせる。
【０００７】
これにより、制御部１２０には、記録シート読取部１３０を介して記録シート用スキャナ１２８から記録シートに記録された画像データが入力され、記録シートの余白部分を判別する。また、制御部１２０には、原稿読取部１３２を介して原稿用スキャナ１２２から原稿の画像データが入力される。
【０００８】
次に、制御部１２０によって、記録シートの余白部分に合わせてプリント方法（位置、方向、サイズ）が決定され、原稿の画像データが修整されて、記録シートの余白部分に印字される。このため、既に記録シートに記録されている画像データに原稿の画像データを上書きすることがないので、記録シートの無駄が少ない。
【特許文献１】特許第２９０１９９４号公報
【特許文献２】特開２００２−８４３８６号公報
【発明の開示】
【発明が解決しようとする課題】
【０００９】
しかしながら、これらは、読み取った画像データを該画像データが記録された原稿以外の記録シートに印字するものであり、また、読み取った画像データに対応して関連付けられた印字データを該原稿に印字するものではない。
【００１０】
本発明は上記事実を考慮し、読み取った原稿の画像データに対応して関連付けられた印字データを該原稿に印字できる画像読取兼記録装置及びこの画像読取兼記録装置に接続可能な外部装置に適用されるアプリケーションプログラムを提供することを目的とする。
【課題を解決するための手段】
【００１１】
請求項１に記載の発明は、画像読取兼記録装置において、原稿の少なくとも片面を読取り可能な読取手段と、画像を記録する記録手段と、前記読取手段で読取られた原稿の画像データに対応して関連付けられた印字データを、前記記録手段で前記原稿に記録させる制御手段と、を有することを特徴としている。
【００１２】
請求項１に記載の発明では、原稿の少なくとも片面を読取り可能な読取手段を設けており、制御手段によって、読取手段で読取られた原稿の画像データに対応して関連付けられた印字データを、画像を記録する記録手段によって、画像データを読み取った原稿に記録させる。これにより、原稿に記録された画像データ（いわゆるプレプリント）に対応して関連付けられた印字データ（画像形成部で記録するデータ）を該原稿に記録させることができる。
【００１３】
例えば、フォーマットの枠が記録された原稿において、該枠の大きさに合わせて複数の印字データの中から一つを選択し、或いは枠の大きさに合わせて印字データの大きさを変え、所定の印字データ（原稿の画像データに対応して関連付けられた印字データ）を原稿に記録された枠内に収める等ができる。これにより、枠の大きさが異なっていても、その大きさに合わせて所定の印字データが記録されるため、枠の大きさ毎に原稿を分けて給紙する必要が無く、作業性が良くなる。
【００１４】
請求項２に記載の発明は、請求項１に記載の画像読取兼記録装置において、前記読取手段が、原稿に記入されたバーコードを読取るバーコードリーダであることを特徴としている。
【００１５】
請求項２に記載の発明では、読取手段をバーコードリーダとすることで、バーコード（二次元含む）を読み取って、バーコードが印字された原稿に該バーコードに対応して関連付けられた印字データを記録することができる。
【００１６】
例えば、使用する部品毎にバーコードを設定し、該バーコードに応じて（部品に対応して）カンバン方式で使用されるカンバン（部品の納入時間や数量等を記入した作業指示書）に作業指示を印字したり、また、商品毎にバーコードを設定し、該バーコードに応じて（商品に対応して）、配送指示書に配送先等を印字したりすることができる。
【００１７】
請求項３に記載の発明は、請求項１又は２に記載の画像読取兼記録装置において、前記制御手段が、前記読取手段で読取られた画像データに対応して、記憶された複数の印字データから所定の印字データを選択して該印字データを原稿に記録させることを特徴としている。
【００１８】
請求項３に記載の発明では、制御手段によって、読取手段で読取られた画像データに対応して、記憶された複数の印字データから所定の印字データが選択され、該印字データが原稿に記録される。例えば、読取った商品の名前に対応して、該商品に対する商品説明が記録され、カタログとすることができる。
【００１９】
請求項４に記載の発明は、請求項１に記載の画像読取兼記録装置において、前記制御手段が、前記画像データに対応して、前記印字データのレイアウトを変更することを特徴としている。
【００２０】
請求項４に記載の発明では、制御手段によって、読取手段で読取られた画像データに対応する印字データのレイアウトが変更される。例えば、フォーマットの枠の大きさに対応して、該枠の大きさに対応する印字データをレイアウトすることが可能となる。
【００２１】
請求項５に記載の発明は、画像読取兼記録装置において、画像を形成する記録手段が設けられた本体部の上部に配置され、記録シートが露出した状態で載置される手差しトレイと、前記手差しトレイに載置された記録シートを、前記記録手段の上方でＵターンさせて、前記記録手段にて画像を形成して、排出トレイへ排出させるＵターン搬送路と、前記Ｕターン搬送路に着脱自在に配設され、原稿の少なくとも片面を読取り可能な読取手段と、前記読取手段で読取られた記録シートの画像データに対応して関連付けられた印字データを、前記記録手段で前記記録シートに記録させる制御手段と、を有することを特徴としている。
【００２２】
請求項５に記載の発明では、記録シートが露出した状態で載置される手差しトレイを、画像を形成する記録手段が設けられた本体部の上部に配置しており、手差しトレイに載置された記録シートを、Ｕターン搬送路によって、記録手段の上方でＵターンさせ記録手段で画像を形成させて、排出トレイへ排出させるようにしている。
【００２３】
また、Ｕターン搬送路中で搬送される記録シート上の画像を読取可能な読取手段をＵターン搬送路に着脱自在に配設している。このように、読取手段を着脱自在とすることで、画像記録装置に読取機能を付加して、画像読取兼記録装置とすることができる。
【００２４】
ここで、読取手段をＵターン搬送路の折り返し部分に設けることで、記録手段から離間した位置に読取部を配置できることとなる。このため、読取部を画像読取兼記録装置の端部側に配設することができ、搬送路等が邪魔になることもなく、読取部の着脱を容易に行えるようにすることができる。
【００２５】
さらに、Ｕターン搬送路の折り返し部に読取部を配置することで、画像形成部は読取部の下流側に位置することとなる。このため、画像データが記録された原稿と、印字データを記録する記録シートと、の搬送経路を共用させることができ、画像形成装置の汎用性を高め、また、低コストで容易に読取機能を付加できる画像読取兼記録装置を得ることができる。
【００２６】
また、本体部の上部に手差しトレイを配置すると共に、露出した状態で記録シートを手差しトレイに載置することで、給紙カセット内に記録シートを収容した場合と比較して、記録シートの枚数の増減を容易に行うことができるため、記録シートのセット操作性が良い。また、記録シートが露出しているため手差しトレイ上の記録シートの枚数等を目視で確認できるなど視認性が良い。
【００２７】
特に、小サイズの記録シートの場合、給紙カセットを構成するカバーが邪魔になり、小サイズの記録シートを給紙カセットの奥方へ配置することは面倒であるが、記録シートが露出した状態で手差しトレイに載置されるため、小サイズの記録シートのセット操作性が格段に向上する。
【００２８】
一方、Ｕターン搬送路によって、搬送される記録シートをＵターンさせることで、手差しトレイの下部に排出トレイを配置することが可能となる。これにより、手差しトレイの給紙方向に排出トレイを配置する場合と比較して画像読取兼記録装置の投影面積を小さくすることができる。
【００２９】
また、Ｕターン搬送路によって、搬送される記録シートをＵターンさせることで、手差しトレイへの記録シートのセット操作と、排出トレイからの記録シートの取り出し操作を同じ方向から行うことができるので、オペレータの操作が楽になると共に、画像読取兼記録装置の設置面積を増やすことなく操作性を向上させることができる。
【００３０】
さらに、手差しトレイへの記録シートのセット操作と、排出トレイからの記録シートの取り出し操作を同じ方向から行うことができるため、画像読取兼記録装置の本体部を壁際に設置することができ、省スペース化に寄与することができる。
【００３１】
請求項６に記載の発明は、請求項５記載の画像読取兼記録装置において、前記記録手段が、トナーを担持する像担持体と、前記像担持体上に形成されたトナー像を記録シートに転写する転写手段と、前記記録シートに転写されたトナー像を定着する定着手段と、で少なくとも構成され、前記転写手段の下に前記像担持体が配置されたことを特徴としている。
【００３２】
請求項６に記載の発明では、記録手段を、トナーを担持する像担持体と、像担持体上に形成されたトナー像を記録シートに転写する転写手段と、記録シートに転写されたトナー像を定着する定着手段と、で少なくとも構成し、転写手段の下に像担持体を配置している。
【００３３】
ここで、転写手段の下に像担持体を配置することで、記録シートの記録面は下面側となり、この状態のまま、記録シートを排出部へ排出することで、排出部上の記録シートは、画像形成された順に上部に積載されることになる。このため、排出部へ排出された記録シートをページ順に揃え直す必要がない。
【００３４】
また、記録シートの記録面が記録シートを搬送するＵターン搬送路の下側となるため、搬送中の記録シートが浮遊トナーで汚損される虞を低減することができる。
【００３５】
請求項７に記載の発明は、請求項５又は６に記載の画像読取兼記録装置において、前記本体部の下部に配置され、記録シートを収納可能なシートカセットと、前記シートカセットから略垂直方向へ立ち上がり記録シートを前記転写手段へ案内するシート搬送路と、を備えたことを特徴としている。
【００３６】
請求項７に記載の発明では、本体部の下部にシートカセットを設けることで、記録シートのサイズに応じて各シートカセットを用い取り付けることによって、拡張性に富んだ画像読取兼記録装置を提供することができる。
【００３７】
また、シートカセットを別途備えることで、手差しトレイを原稿の読取り用として使用しても、記録シートはシートカセットから給紙することができるため、原稿と記録シートとをセットしなおす必要が無く、手間が省ける。
【００３８】
さらに、シート搬送路を、シートカセットから略垂直方向へ立ち上がって記録シートを転写手段へ案内するように配設することで、画像読取兼記録装置の投影面積を小さくすることができる。
【００３９】
請求項８に記載の発明は、請求項７に記載の画像読取兼記録装置において、前記排出トレイへ排出された記録シートを排出方向と逆方向に反転搬送するシート反転手段と、前記本体部の下部に配置され、反転搬送された記録シートを前記シート搬送路へ戻す戻し搬送路と、を有することを特徴としている。
【００４０】
請求項８に記載の発明では、排出トレイへ排出された記録シートを排出方向と逆方向に反転搬送させ、シート搬送路へ戻すことで、両面印刷が可能となる。このように、両面印刷するための戻し搬送路（いわゆる両面ユニット）を本体部の下部に設けることで、本体部の上部に配設された手差しトレイの操作性に何ら影響を及ぼすことはなく、両面ユニットの増設が可能となる。
【００４１】
請求項９に記載の発明は、請求項８に記載の画像読取兼記録装置において、前記戻し搬送路で搬送され、原稿の記録面の裏面側に前記印字データが記録されることを特徴としている。
【００４２】
請求項９に記載の発明では、戻し搬送路によって、原稿の記録面の裏面側に印字データが記録されることで、例えば、原稿の記録面に記録された顧客名に対応して、原稿の裏面に該顧客用のオプション指定を記録し、発注書とすることができる。
【００４３】
請求項１０に記載の発明は、請求項９に記載の画像読取兼記録装置において、前記制御手段が、前記画像データを加工し、加工された画像データを原稿の記録面の裏面側に記録させることを特徴としている。
【００４４】
請求項１０に記載の発明では、制御手段によって、画像データが加工され、加工された画像データ（いわゆる印字データ）が原稿の記録面の裏面側に記録されるようにすることで、例えば、原稿の記録面には日本語が記録されている場合、この日本語の画像データを読み取って、該原稿の記録面の裏面側には、該日本語を翻訳した英語が記録されるというような使い方ができる。
【００４５】
請求項１１に記載の発明は、アプリケーションプログラムにおいて、請求項１〜１０の何れかに記載の画像読取兼記録装置により送出された画像データを受信する受信ステップと、前記画像データに対応して、前記記録データを前記画像読取兼記録装置へ送出する送出ステップと、をコンピュータに実行させることを特徴としている。
【００４６】
請求項１１に記載の発明では、画像読取兼記録装置により送出された画像データを受信する受信ステップと、画像データに対応して記録データを画像読取兼記録装置へ送出する送出ステップと、をコンピュータに実行させることで、原稿に記録された画像データに対応して関連付けられた印字データを該原稿に記録させることができる。
【発明の効果】
【００４７】
本発明は、上記構成としたので、請求項１に記載の発明では、原稿の画像データを読取る読取手段を設けており、制御手段によって、読取手段で読取られた原稿の画像データに対応して関連付けられた印字データを画像データを読み取った原稿に記録させる。これにより、原稿に記録された画像データ（いわゆるプレプリント）に対応して関連付けられた印字データ（画像形成部で記録するデータ）を該原稿に記録させることができる。
【００４８】
請求項２に記載の発明では、読取手段をバーコードリーダとすることで、バーコード（二次元含む）を読み取って、バーコードが印字された原稿に該バーコードに対応して関連付けられた印字データを記録することができる。
【００４９】
請求項３に記載の発明では、制御手段によって、読取手段で読取られた画像データに対応して、記憶された複数の印字データから所定の印字データが選択され、該印字データが原稿に記録される。
【００５０】
請求項４に記載の発明では、制御手段によって、読取手段で読取られた画像データに対応する印字データのレイアウトが変更される。例えば、フォーマットの枠の大きさに対応して、該枠の大きさに対応する印字データをレイアウトすることが可能となる。
【００５１】
請求項５に記載の発明では、読取手段を着脱自在とすることで、画像記録装置に読取機能を付加して、画像読取兼記録装置とすることができる。また、読取手段をＵターン搬送路の折り返し部分に設けることで、記録手段から離間した位置に読取部を配置できることとなり、読取部を画像読取兼記録装置の端部側に配設することができ、搬送路等が邪魔になることもなく、読取部の着脱を容易に行えるようにすることができる。
【００５２】
さらに、Ｕターン搬送路の折り返し部に読取部を配置することで、画像形成部は読取部の下流側に位置することとなるため、画像データが記録された原稿と、印字データを記録する記録シートと、の搬送経路を共用させることができ、画像形成装置の汎用性を高め、また、低コストで容易に読取機能を付加できる画像読取兼記録装置を得ることができる。
【００５３】
また、本体部の上部に手差しトレイを配置すると共に、露出した状態で記録シートを手差しトレイに載置することで、給紙カセット内に記録シートを収容した場合と比較して、記録シートの枚数の増減を容易に行うことができるため、記録シートのセット操作性が良い。また、記録シートが露出しているため手差しトレイ上の記録シートの枚数等を目視で確認できるなど視認性が良い。
【００５４】
一方、Ｕターン搬送路によって、搬送される記録シートをＵターンさせることで、手差しトレイの下部に排出トレイを配置することが可能となる。これにより、手差しトレイの給紙方向に排出トレイを配置する場合と比較して画像読取兼記録装置の投影面積を小さくすることができる。
【００５５】
また、Ｕターン搬送路によって、搬送される記録シートをＵターンさせることで、手差しトレイへの記録シートのセット操作と、排出トレイからの記録シートの取り出し操作を同じ方向から行うことができるので、オペレータの操作が楽になると共に、画像読取兼記録装置の設置面積を増やすことなく操作性を向上させることができる。さらに、手差しトレイへの記録シートのセット操作と、排出トレイからの記録シートの取り出し操作を同じ方向から行うことができるため、画像読取兼記録装置の本体部を壁際に設置することができ、省スペース化に寄与することができる。
【００５６】
請求項６に記載の発明では、転写手段の下に像担持体を配置することで、記録シートの記録面は下面側となり、この状態のまま、記録シートを排出部へ排出することで、排出部上の記録シートは、画像形成された順に上部に積載されることになるため、排出部へ排出された記録シートをページ順に揃え直す必要がない。
【００５７】
また、記録シートの記録面が記録シートを搬送するＵターン搬送路の下側となるため、搬送中の記録シートが浮遊トナーで汚損される虞を低減することができる。
【００５８】
請求項７に記載の発明では、本体部の下部にシートカセットを設けることで、記録シートのサイズに応じて各シートカセットを用い取り付けることによって、拡張性に富んだ画像読取兼記録装置を提供することができる。また、シートカセットを別途備えることで、手差しトレイを原稿の読取り用として使用しても、記録シートはシートカセットから給紙することができるため、原稿と記録シートとをセットしなおす必要が無く、手間が省ける。さらに、シート搬送路を、シートカセットから略垂直方向へ立ち上がって記録シートを転写手段へ案内するように配設することで、画像読取兼記録装置の投影面積を小さくすることができる。
【００５９】
請求項８に記載の発明では、両面印刷するための戻し搬送路（いわゆる両面ユニット）を本体部の下部に設けることで、本体部の上部に配設された手差しトレイの操作性に何ら影響を及ぼすことはなく、両面ユニットの増設が可能となる。
【００６０】
請求項９に記載の発明では、戻し搬送路によって、原稿の記録面の裏面側に印字データが記録されることで、例えば、原稿の記録面に記録された顧客名に対応して、原稿の裏面に該顧客用のオプション指定を記録し、発注書とすることができる。
【００６１】
請求項１０に記載の発明では、制御手段によって、画像データが加工され、加工された画像データ（いわゆる印字データ）が原稿の記録面の裏面側に記録されるようにすることで、例えば、原稿の記録面には日本語が記録されている場合、この日本語の画像データを読み取って、該原稿の記録面の裏面側には、該日本語を翻訳した英語が記録されるというような使い方ができる。
【００６２】
請求項１１に記載の発明では、画像読取兼記録装置により送出された画像データを受信する受信ステップと、画像データに対応して記録データを画像読取兼記録装置へ送出する送出ステップと、をコンピュータに実行させることで、原稿に記録された画像データに対応して関連付けられた印字データを該原稿に記録させることができる。
【発明を実施するための最良の形態】
【００６３】
以下、本発明の実施の形態を図面を参照して説明する。
【００６４】
図１及び図２に示すように、本発明の実施の形態に係る画像読取兼記録装置１０には、トナーを担持する感光体ドラム１２等によって構成された画像形成部１４が設けられた本体部１６が備えられている。この本体部１６は略直方体状を成しており、上面及び下面が略水平に形成されている（後述する）。
【００６５】
本体部１６の底部には、光走査装置１８が配設されており、半導体レーザ（図示省略）から出射されたレーザ光がポリゴンミラー２０によって偏向走査され、ｆθレンズ２１を経てミラー２２によって光路を曲げられ、予め帯電ロール２４によって表面に電荷を付与された感光体ドラム１２の周面上に投射されて、感光体ドラム１２の周面上に静電潜像が形成される。
【００６６】
ここで、帯電ロール２４及び感光体ドラム１２はプロセスカートリッジ２６に回転可能に配設されており、プロセスカートリッジ２６と一体に本体部１６に対して着脱可能となっている。また、プロセスカートリッジ２６には、帯電ロール２４及び感光体ドラム１２の他に現像器２８が設けられており、現像器２８によって、感光体ドラム１２上に形成された静電潜像がトナー像として現像される。
【００６７】
感光体ドラム１２の上部には、転写ロール３８が回転可能に配設されており、転写ロール３８には、図示しない転写バイアス電源が接続され、所定のトナー極性とは逆極性の転写バイアスが所定のタイミングで印加されるようになっている。この転写ロール３８と感光体ドラム１２の間を記録シートが通過すると、記録シートの下面にトナー像が転写される。
【００６８】
また、感光体ドラム１２の下流側には、定着装置４０が配設されており、トナー像が転写された記録シートに熱及び圧力を加えて定着処理を行った後、定着装置４０の下流側に配設された排出ロール４２へ記録シートを案内する。
【００６９】
ところで、本体部１６の上部は、蓋体４６となっており、本体部１６に対して揺動可能に軸支され、本体部１６の内部を開閉可能としている。この蓋体４６の裏面には、定着装置４０及び転写ロール３８が固定されている。このため、蓋体４６が開閉するとき、定着装置４０及び転写ロール３８は蓋体４６と一体に移動することとなる。
【００７０】
これにより、プロセスカートリッジ２６の着脱スペースから、転写ロール３８及び定着装置４０を退避させることができ、プロセスカートリッジ２６を交換するときに、誤って高温部に手が触れないようにしている。
【００７１】
一方、本体部１６の上面には水平な取り付け面３０が形成されており、この取り付け面３０には、手差しトレイ３２が載置され、本体部１６に対して着脱可能に取り付けられている。また、取り付け面３０の一部には開口（図示省略）が形成されており、手差しトレイ３２から供給された記録シートは該開口を通じて本体部１６の内部へ案内される。
【００７２】
ここで、手差しトレイ３２には、横断面が略コ字状を成す載置台３４が備えられており、手差しトレイ３２内の記録シートは、露出した状態で載置台３４に載置されることとなる。
【００７３】
また、手差しトレイ３２から本体部１６内部へ架けて、手差しトレイ３２から供給される記録シートを画像形成部１４へ案内するＵターン搬送路３６が配設されている。このＵターン搬送路３６は正面視にて略Ｕ字状を成しており、手差しトレイ３２の載置台３４上で搬送される記録シートの搬送方向と感光体ドラム１２を通過する記録シートの搬送方向とが逆になるようにしている。
【００７４】
このように、Ｕターン搬送路３６によって、手差しトレイ３２の載置台３４上で搬送される記録シートの搬送方向と感光体ドラム１２を通過する記録シートの搬送方向とを逆にすることで、手差しトレイ３２の載置台３４の下方に排出トレイ４４を配置することが可能となる。
【００７５】
また、Ｕターン搬送路３６の折り返し部の内側には、搬送ローラ７４が配設されており、Ｕターン搬送路３６の折り返し部の外側には、搬送ローラ７４と対向して、読取装置７６が配設されている。
【００７６】
このように、Ｕターン搬送路３６の折り返し部に読取装置７６を設けることで、画像形成部１４から離間した位置に読取装置７６を配置することができることとなる。このため、読取装置７６を画像読取兼記録装置１０の端部側に配設することができる。例えば、手差しトレイ３２の側壁に開閉可能な開口部３２Ａを形成し、開口部３２Ａを開放させた状態で、読取装置７６を開口部３２Ａに内嵌し、固定ネジなどで固定する。
【００７７】
この読取装置７６は、画像読取兼記録装置１０に設けられたディスプレイ上の所定の操作ボタン（図示省略）を押圧すると作動し、Ｕターン搬送路３６中で搬送される記録シート（いわゆる原稿）上に記録された画像データを読取る。読取られた画像データは、画像読取兼記録装置１０と外部接続されたパーソナルコンピュータ（以下、「ＰＣ」という）７８（図３参照）のハードディスク８０（図３参照）へ送信される（後述する）。
【００７８】
一方、本体部１６の下部には、水平な取り付け面７２が形成されており、断面が略Ｌ字状の給紙カセットユニット５２が取り付け面７２との間に隙間を設けた状態で着脱可能に取り付けられている。この給紙カセットユニット５２は、水平に設けられた給紙部５４と、給紙部５４に対して垂直に設けられた搬送部５６と、で構成されている。
【００７９】
給紙部５４には給紙カセット５５が収納されており、着脱可能となっている。この給紙カセット５５の底部には、押圧板５５Ａが上方へ向かって揺動可能に設けられており、給紙カセット５５内に収容された記録シートを、給紙部５４に回転可能に軸支された記録シート分離搬送用のフィードロール５８へ押し付ける。
【００８０】
これにより、搬送部５６へ供給する記録シートが１枚ずつ捌かれ、給紙部５４に回転可能に軸支されたレジストロール６０Ａと給紙カセット５５に回転可能に軸支されたレジストロール６０Ｂとで構成されるレジストロール対６０へ案内される。
【００８１】
一方、搬送部５６には、レジストロール対６０から案内された記録シートを略垂直に立ち上げ、Ｕターン搬送路３６上の合流部５０へ案内するシート搬送路６２が配設されている。
【００８２】
ここで、合流部５０は、Ｕターン搬送路３６上の感光体ドラム１２の上流側に設けられたレジストロール対４９の上流側に位置しており、シート搬送路６２で搬送された記録シートは、該合流部５０を経てＵターン搬送路３６へ合流し、レジストロール対４９によって画像形成部１４へ案内される。
【００８３】
また、給紙カセットユニット５２と取り付け面７２との間に設けられた隙間には、断面が略Ｌ字状を成す戻し搬送ユニット６４が取り付け可能となっている。この戻し搬送ユニット６４の垂直部６４Ａには、排出トレイ４４が設けられており、排出ロール４２へ案内された記録シートが排出トレイ４４に排出されるようになっている。
【００８４】
また、戻し搬送ユニット６４の垂直部６４Ａには、反転搬送部６６が設けられており、画像が形成され排出トレイ４４へ排出する記録シートを反転搬送可能としている。このように、反転搬送された記録シートは、戻し搬送ユニット６４の水平部６４Ｂに配設された戻し搬送路６８へ案内される。
【００８５】
この戻し搬送路６８と給紙カセットユニット５２の搬送部５６とは連通可能となっており、搬送部５６には戻し搬送路６８とシート搬送路６２とを架け渡す合流搬送路７０が配設されている。
【００８６】
このため、戻し搬送路６８から搬送された記録シートは、合流搬送路７０を経てシート搬送路６２へ案内され、合流部５０でＵターン搬送路３６へ合流して、既に画像形成された面を上にし、レジストロール対４９によって再度画像形成部１４へ案内され、両面印刷された状態で排出トレイ４４へ排出される。
【００８７】
また、排出トレイ４４が設けられた本体部１６の側面１６Ａに対面する側面１６Ｂから給紙カセットユニット５２の搬送部５６を貫通して、記録シートが搬送可能な記録シート搬送路４８が設けられており、記録シート搬送路４８で搬送される記録シートは、合流部５０からＵターン搬送路３６へ合流して、レジストロール対４９によって画像形成部１４へ案内される。
【００８８】
次に、本実施の形態に係る画像読取兼記録装置と外部接続されたパーソナルコンピュータ（以下、「ＰＣ」という）とで構成された画像読取記録システムの電気系の主要構成を説明する。
【００８９】
図３に示すように、画像読取記録システム８２を構成する画像読取兼記録装置１０には、該画像読取兼記録装置１０全体の作動を制御する制御部８４と、外部装置との間で各種情報の授受を制御するインタフェース部８６と、が備えられている。
【００９０】
ここで、前述した読取装置７６及び画像形成部１４は制御部８４に接続されており、これら各部の作動は制御部８４によって制御される。また、制御部８４はインタフェース部８６にも接続されており、インタフェース部８６を介して接続された外部装置との間で各種情報の授受が可能となっている。
【００９１】
一方、画像読取記録システム８２を構成するＰＣ７８は、ＰＣ７８全体の制御を司るＣＰＵ８８と、各種制御プログラムや各種パラメータ等が予め記憶されたＲＯＭ９０と、ＣＰＵ８８による各種プログラムの実行時におけるワークエリア等として用いられるＲＡＭ９２と、ハードディスク８０と、外部装置との間で各種情報の授受を制御するインタフェース部９４と、が備えられており、これら各部は、システムバス９６を介して相互に接続されている。
【００９２】
従って、ＣＰＵ８８は、ＲＯＭ９０、ＲＡＭ９２及びハードディスク８０へのアクセスや、インタフェース部９４を介して接続された外部装置との間で各種情報の授受が可能となっている。
【００９３】
そして、画像読取記録システム８２は、画像読取兼記録装置１０のインタフェース部８６とＰＣ７８のインタフェース部９４とが接続されて構成されており、画像読取兼記録装置１０の作動は、ＰＣ７８によって制御可能となっている。
【００９４】
一方、図４には、ハードディスク８０の記憶領域の構成が模式的に示されており、ハードディスク８０には、照合データ８０Ａ及び記録印字データ８０Ｂが予め記憶されている。
【００９５】
図５（Ａ）に示すように、照合データ８０Ａは、例えば、原稿に記録されたフォーマットの枠９８（図６（Ａ）参照）の大きさに対応する印字データを印字する場合、図１で示す手差しトレイ３２の載置台３４に原稿を載置し、Ｕターン搬送路３６（図１参照）で搬送して原稿に記録された枠９８の横サイズと縦サイズを検出することで、ＣＰＵ８８によって、ハードディスク８０に記憶された照合データ８０Ａから種別情報（例えばＡ）が検出される。
【００９６】
また、図５（Ｂ）に示すように、記録印字データ８０Ｂは、種別情報に対応して印字データがそれぞれ記憶されており、図５（Ａ）に示す照合データ８０Ａによって検出された種別情報Ａに対応して印字データ「ＡＡＡＡ」が検出される。これにより、枠９８の大きさに対応する印字データ「ＡＡＡＡ」が枠９８内に印字されることとなる（図６（Ｂ）参照）。
【００９７】
次に、図７を参照して、本実施の形態に係る画像読取記録システム８２の作用を説明する。
【００９８】
なお、図７は、図３で示す画像読取記録システム８２における画像読取兼記録装置１０及びＰＣ７８の各々の電源がオン状態となっているときにＰＣ７８のＣＰＵ８８において実行される画像形成制御処理プログラムの処理の流れを示すフローチャートであり、該プログラムはＲＯＭ９０の所定領域に予め記憶されている。
【００９９】
画像読取記録システム８２のユーザは、手差しトレイ３２（図１参照）に原稿をセットし、画像読取兼記録装置１０に設けられたボタン（図示省略）を押圧操作する。これに応じて原稿の画像データが、画像読取兼記録装置１０の読取装置７６、制御部８４、インタフェース部８６及びＰＣ７８のインタフェース部９４を介してハードディスク８０の領域に記憶される。
【０１００】
そこで、まず、図７のステップ１００では、ハードディスク８０において、画像データの記憶待ちを行う（受信ステップ）。つまり、画像読取兼記録装置１０のボタンが押圧操作され、原稿がＵターン搬送路３６（図１参照）で搬送され、読取装置７６（図１参照）を通過し、読取装置７６で原稿の画像データが読み取られ、画像読取兼記録装置１０の制御部８４、インタフェース部８６及びＰＣ７８のインタフェース部９４を介してハードディスク８０に画像データが記憶されると、ステップ１０２で、ＣＰＵ８８によって、照合データ８０Ａの読み出しが行われ、図５（Ａ）で示す種別情報（例えばＡ）が検出される。
【０１０１】
次に、ステップ１０４では、ＣＰＵ８８によって、照合処理が行われ、図５（Ｂ）で示す種別情報Ａに対応する印字データ「ＡＡＡＡ」が検出される。そして、ステップ１０６では，ＣＰＵ８８によって、照合結果に対応する印字データ「ＡＡＡＡ」が読み出され、ステップ１０８において、画像形成指示が行われる（送出ステップ）。
【０１０２】
つまり、印字データ「ＡＡＡＡ」が、ＰＣ７８のインタフェース部９４及び画像読取兼記録装置１０のインタフェース部８６を介して制御部８４へ送信され、画像形成部１４において、図６（Ａ）で示す原稿上の枠９８内に印字データ「ＡＡＡＡ」が印字されることとなる（図６（Ｂ）参照）。
【０１０３】
本発明の実施に係る画像読取兼記録装置の作用について説明する。
【０１０４】
図１及び図３に示すように、本形態では、Ｕターン搬送路３６に読取装置７６を設け、Ｕターン搬送路３６で搬送される原稿に記録された画像データ（いわゆるプレプリント）を読取り可能としている。また、画像読取兼記録装置１０にＰＣ７８を接続し、原稿の画像データをＰＣ７８のハードディスク８０へ送信して、該画像データに対応した印字データを該原稿に印字できるようにしている。
【０１０５】
これにより、図６（Ａ）に示すように、フォーマットの枠９８が形成された原稿において、枠９８の大きさに合わせて図５（Ｂ）で示す複数の印字データの中から一つを選択し、所定の印字データを枠９８内に収める等が可能となる（図６（Ｂ）参照）。
【０１０６】
このため、枠９８の大きさが異なっていても、その大きさに合わせて所定の印字データが記録されるため、枠９８の大きさ毎に原稿を分けて給紙する必要が無く、作業性が良くなる。また、フォーマットの枠９８の大きさに対応して、該枠９８の大きさに対応する印字データをレイアウトすることもできる。
【０１０７】
さらに、画像読取記録システム８２の作用では、原稿上に記録された枠を一つとして説明したが、原稿上に大きさの異なる枠が複数記録されている場合、各枠の大きさに対応して印字データが印字されることとなる。
【０１０８】
また、原稿の記録面側（表面側）に、該表面側に記録された画像データに対応して印字データを印字するようにしたが、戻し搬送ユニット６４を用いて、表面側に記録された画像データに対応して原稿の裏面側に印字データを印字することもできる。
【０１０９】
この場合、例えば、記載された文字を認識する文字認識装置（図示省略）をＰＣ７８（図３参照）に備え、ハードディスク８０には、図８（Ａ）、（Ｂ）に示す照合データ８１Ａ及び記録印字データ８１Ｂが記憶させる。そして、原稿に記録された「あいうえおＡＢＣＤＥＦ」の文字を読取り、認識し、照合データ８１Ａから種別情報Ａを検出し、記録印字データ８１Ｂによって、種別情報Ａに対応する印字データ「イロハニ」を読み出すようにする。
【０１１０】
このとき、原稿は、図９に示すＵターン搬送路３６によって画像形成部１４へ案内されるが、画像形成部１４では単に通過するのみであり、原稿の表面側には印字は行われない。そして、一旦排出トレイ４４に排出され、反転搬送部６６によって戻し搬送路６８へ案内され、合流部５０からＵターン搬送路３６へ合流して、レジストロール対４９によって画像形成部１４へ案内されると、該原稿の裏面側に印字が行われ、両面印刷された状態で排出トレイ４４に排出される。
【０１１１】
具体的には、図９及び図１０に示すように、原稿の表面側に個別情報Ａに相当する画像Ａ1「あいうえおＡＢＣＤＥＦ」又は画像Ｂ1「かきくけこＧＨＩＪＫ」が記録された原稿を搬送すると、読取装置７６によって個別情報Ａ又はＢに対応する印字データがＰＣ７８から送信され、表面側に画像Ａ1「あいうえおＡＢＣＤＥＦ」が記録された原稿の裏面側には印字Ａ2「イロハニ」が行われ、表面側に画像Ｂ1「かきくけこＧＨＩＪＫ」が記録された原稿の裏面側には印字Ｂ2「ホへトチリ」が行われることとなる。
【０１１２】
以上のように、読取装置７６で読取られた画像データに対応して、ＰＣ７８のハードディスク８０に記憶された複数の印字データから所定の印字データを選択して該印字データを原稿に記録させる画像読取記録システム８２を利用することで、例えば、原稿に記録された患者の名前に対応して、原稿の表面側或いは裏面側に該患者に対する投薬指示を印字し、処方箋とすることができる。
【０１１３】
また、使用する部品名が記録された原稿において、カンバン方式で使用されるカンバン（部品の納入時間や数量等を記入した作業指示書）を該部品に対応して原稿の表面側或いは裏面側に印字したり、また、薬名が記録された原稿において、該薬に対応する効用、使用方法等を印字したりすることもできる。さらに、顧客名が記録された原稿において、該顧客に対応して、該顧客用のオプション指定を原稿の表面側或いは裏面側に印字し、発注書とすることもできる。
【０１１４】
また、原稿に記録された画像データを加工し、加工された画像データを該原稿の記録面の裏面側に印字することもできる。例えば、原稿の記録面に日本語が記録されている場合、この日本語の画像データを読み取って、該原稿の記録面の裏面に、該日本語を翻訳した英語を印字するというような使い方ができる。
【０１１５】
さらに、ここでは、画像データを枠或いは文字等としたが、読取装置７６をバーコードリーダとし、原稿にバーコードを記録しても良い。
【０１１６】
このように、画像読取兼記録装置１０とＰＣ９８を外部接続し、インタフェース部８６を介して各種情報の授受を行なうことで、画像読取兼記録装置１０に画像データを蓄積させておく必要がないので、画像読取兼記録装置１０を簡略化できるとともに、画像データの更新・変更があったときにも容易に対応できる。また、ＰＣ９８で、読取った画像データに対応する印字データの選択や、読取った画像データの加工・変換を行わせることができる。
【０１１７】
なお、ここでは、画像読取兼記録装置１０とＰＣ９８を外部接続し、インタフェース部８６を介して各種情報の授受を行なうようにしたが、ＣＰＵ８８は、ＲＯＭ９０、ＲＡＭ９２、ハードディスク８０等を画像読取兼記録装置１０内に備えても良いのは勿論のことである。
【０１１８】
ところで、読取装置７６において、Ｕターン搬送路３６の折り返し部に設けることで、画像形成部１４から離間した位置に配置することができることとなる。このため、読取装置７６を画像読取兼記録装置１０の端部側に配設することができ、搬送路等が邪魔になることもなく、読取装置７６の着脱を容易に行えるようにすることができる。
【０１１９】
また、図１に示すように、Ｕターン搬送路３６の折り返し部に読取装置７６を配置することで、画像形成部１４は読取装置７６の下流側に位置することとなる。このため、画像データが記録された原稿が搬送される搬送路と、印字データを記録する記録シートが搬送される搬送路を共用することができ（各搬送路は合流部５０を経てＵターン搬送路３６へ合流させることができる）、画像形成装置の汎用性を高め、また、低コストで容易に読取機能を付加できる画像読取兼記録装置１０を得ることができる。
【０１２０】
また、本体部１６の上部に手差しトレイ３２を配置すると共に、手差しトレイ３２に、横断面が略コ字状を成す載置台３４を備え、手差しトレイ３２内の記録シートが、露出した状態で載置台３４に載置されるようにしている。これにより、給紙カセット内に記録シートを収容した場合と比較して、記録シートの枚数の増減を容易に行うことができるため、記録シートのセット操作性が良くなる。
【０１２１】
特に、小サイズの記録シートの場合、給紙カセットを構成するカバーが邪魔になり、小サイズの記録シートを給紙カセットの奥方へ配置することは面倒であるが、記録シートが露出した状態で手差しトレイ３２に載置されるため、小サイズの記録シートのセット操作性が格段に向上する。また、記録シートが露出しているため、手差しトレイ３２上の記録シートの枚数等を目視で確認できるなど視認性も良い。
【０１２２】
一方、手差しトレイ３２から本体部１６内部へ架けて、手差しトレイ３２から供給される記録シートを画像形成部１４へ案内するＵターン搬送路３６を配設している。このＵターン搬送路３６によって、搬送される記録シートをＵターンさせることで、手差しトレイ３２の下部に排出トレイ４４を配置することが可能となる。これにより、手差しトレイ３２の反対側に排出トレイ４４を配置する場合と比較して、画像読取兼記録装置１０の投影面積を小さくすることができる。
【０１２３】
また、Ｕターン搬送路３６によって、搬送される記録シートをＵターンさせることで、手差しトレイ３２への記録シートのセット操作と、排出トレイ４４からの記録シートの取り出し操作を同じ方向から行うことができるので、オペレータの操作が楽になると共に、画像読取兼記録装置１０の設置面積を増やすことなく操作性を向上させることができる。
【０１２４】
また、手差しトレイ３２への記録シートのセット操作と、排出トレイ４４からの記録シートの取り出し操作を同じ方向から行うことができるため、画像読取兼記録装置１０の本体部１６を壁際に設置することができ、省スペース化に寄与することができる。
【０１２５】
ここで、感光体ドラム１２の上部に、転写ロール３８を配設している。このように、感光体ドラム１２の上部に転写ロール３８を配設することで、記録シートの記録面は下面側となり、この状態のまま、記録シートを排出トレイ４４へ排出することで、排出トレイ４４上の記録シートは、画像形成された順に上部に積載されることになる。このため、排出トレイ４４へ排出された記録シートをページ順に揃え直す必要がない。また、記録シートの記録面が、記録シートを搬送するＵターン搬送路３６の下側となるため、搬送中の記録シートが浮遊トナーで汚損される虞を低減することができる。
【０１２６】
さらに、シート搬送路６２を、給紙カセットユニット５２の給紙カセット５５から略垂直方向へ立ち上がって合流部５０へ案内するように形成している。これにより、画像読取兼記録装置１０の投影面積を小さくすることができる。
【０１２７】
なお、本形態では、手差しトレイ３２の側壁に開口部３２Ａを形成し、読取装置７６を開口部３２Ａに内嵌して、固定ネジなどで固定するようにしたが、Ｕターン搬送路３６に読取装置７６を配設し、読取装置７６が容易に着脱できれば良いため、これに限るものではない。このため、Ｕターン搬送路３６の折り返し部以外の場所に読取装置７６を配設しても良い。また、本形態では、ゼログラフィ方式の画像読取兼記録装置に適用させたが、これに限るものではなく、インクジェット方式であっても勿論良い。
【図面の簡単な説明】
【０１２８】
【図１】本発明の実施の形態に係る画像読取兼記録装置の構成図である。
【図２】本発明の実施の形態に係る画像読取兼記録装置の構成図であり、蓋体を開放させた状態を示している。
【図３】本発明の実施の形態に係る画像読取兼記録装置を用いた画像読取記録システムの構成を示すブロック図である。
【図４】画像読取記録システムに用いられるハードディスクの記憶領域の構成を示す模式図である。
【図５】（Ａ）、（Ｂ）は、画像読取記録システムに用いられるＣＰＵの制御内容を示す説明図である。
【図６】（Ａ）、（Ｂ）は、画像読取記録システムに用いられるＣＰＵの制御内容を示す説明図である。
【図７】画像読取記録システムの画像形成制御処理プログラムの処理の流れを示すフローチャートである。
【図８】（Ａ）、（Ｂ）は、画像読取記録システムに用いられるＣＰＵの制御内容を示す説明図である。
【図９】本発明の実施の形態に係る画像読取兼記録装置の構成図であり、画像読取記録システムに用いられるＣＰＵの他の制御内容を示す説明図である。
【図１０】本発明の実施の形態に係る画像読取兼記録装置の構成図であり、画像読取記録システムに用いられるＣＰＵの他の制御内容を示す説明図である。
【図１１】従来の画像読取兼記録装置の構成図である（特許文献１）。
【図１２】従来の画像読取兼記録装置の構成図である（特許文献２）。
【符号の説明】
【０１２９】
１０    画像読取兼記録装置
１２    感光体ドラム（像担持体、記録手段）
１４    画像形成部（記録手段）
１６    本体部
２６    プロセスカートリッジ
３０    取り付け面
３２    手差しトレイ
３６    Ｕターン搬送路
３８    転写ロール（転写手段、記録手段）
４０    定着装置（定着手段、記録手段）
５５    給紙カセット（シートカセット）
６２    シート搬送路
６６    反転搬送部（シート反転手段）
６８    戻し搬送路
７０    合流搬送路（戻し搬送路）
７６    読取装置（読取手段）
８２    画像読取記録システム（制御手段）
８４    制御部（制御手段）
８８    ＣＰＵ（制御手段）
【図１】
2005178261.tif 000003
【図２】
2005178261.tif 000004
【図３】
2005178261.tif 000005
【図４】
2005178261.tif 000006
【図５】
2005178261.tif 000007
【図６】
2005178261.tif 000008
【図７】
2005178261.tif 000009
【図８】
2005178261.tif 000010
【図９】
2005178261.tif 000011
【図１０】
2005178261.tif 000012
【図１１】
2005178261.tif 000013
【図１２】
2005178261.tif 000014